(57)【要約】【課題】注ぎ口を備えた紙パック容器に対する紙パック容器用ホルダの着脱作業を容易に行うことができるようにする。【解決手段】紙パック容器用ホルダ１０に、紙パック容器が高さ方向に貫通する四角孔１１を有する本体１、それぞれが四角孔１１の上縁部における互いに対向する２辺１１１，１１２のそれぞれから斜め上方に延出する三角形平板状を呈する２つの係止体２、本体１の外側で四角孔１１における上縁部から係止体が延出していない２辺１１３，１１４のうちの一辺１１３の外側に配置された把手体３を設けた。２つの係止体２は、２辺１１１，１１２のそれぞれを支軸として、それぞれの頂点２１が紙パック容器の２つの折込み面のそれぞれの頂点に当接する下限位置から上方向に弾性的に揺動自在にされている。【選択図】  図１
2015048138.tif 000002
【特許請求の範囲】
【請求項１】
２つの傾斜面の一方に注ぎ口を備えた四角柱形状の紙パック容器であって互いに対向する２側面の上端部のそれぞれを互いに近接する方向に傾斜させて垂直の接合部で接合された２つの傾斜面と、残る２側面の上端部を前記２つの傾斜面の間に折り込んだ２つの三角形状の折込み面と、を備えた紙パック容器に、着脱自在に装着され、
前記紙パック容器が高さ方向に貫通する四角孔を有する本体と、
それぞれが前記四角孔の上縁部における互いに対向する２辺のそれぞれから斜め上方に延出する三角形平板状を呈し、それぞれの頂点が前記紙パック容器の前記接合部の下端部に当接する下限位置よりも上方向にのみ弾性的に揺動自在にされた２つの係止体と、
前記本体の外側で前記四角孔における前記上縁部から前記２つの係止体が延出していない２辺のうちの一辺の外側に配置された把手体と、
を備えた紙パック容器用ホルダ。
【請求項２】
前把手体は、前記本体に対して下方から着脱自在にされた請求項１に記載の紙パック容器用ホルダ。
【請求項３】
前記係止体は、内側面に前記折込み面の下辺部に当接する凸条を設けた請求項１又は２に記載の紙パック容器用ホルダ。
【発明の詳細な説明】
【技術分野】
【０００１】
この発明は、飲料、調味料、酒類等の液体を収納した四角柱状の紙パック容器であって上部の傾斜面に注ぎ口を備えた紙パック容器に装着され、把持部を把持することで紙パック容器に収納された液体を注ぎ易くする紙パック容器用ホルダに関する。
【背景技術】
【０００２】
近年、飲料、調味料、酒類等の液体を収容する容器として、四角柱状の紙パック容器が用いられている。四角柱状の紙パック容器は、対向する２側面の上端部を互いに近接させて２つの傾斜面を形成し、残る２側面の上端部を２つの傾斜面の下側に折り込んだ折込み部分としている。形成された紙パック容器は、最上部に２つの傾斜面を接合した接合部を備えている。
【０００３】
四角柱状の紙パック容器から液体を注液する際には、接合部の一方で２つの傾斜面を互いに離間する方向に拡げて折り込み部分を外側に露出させることで開口部を形成する。紙パック容器の側面における中間部分を把持し、開口部が下方に移動するように紙パック容器を傾けることで、内部に収容された液体が注液できる。注液作業を片手で行う場合には、拇指と拇指以外の４指とが互いに対向する２側面に接するようにして紙パック容器が把持される。
【０００４】
紙パック容器は、冷蔵庫等における収納性を考慮して高さ方向の伸張が制限され、収容量の増加に伴って各側面の幅が拡大する。大容量の紙パック容器は、重量が増加するだけでなく、各側面の幅が広くなり、片手での注液作業が困難になる。
【０００５】
そこで、紙パック容器に着脱自在にされた紙パック容器用ホルダが提案されている（例えば、特許文献１参照。）。紙パック容器用ホルダは、紙パック容器の４つの側面に接触する本体と、紙パック容器の折り込み部分に嵌入する係止体と、本体から延出したハンドルと、を備えている。
【０００６】
紙パック容器用ホルダは、紙パック容器に装着した状態でハンドルを把持して紙パック容器を持ち上げて傾けることができ、紙パック容器の容量に関わらず注液作業を容易に行うことができる。また、
【先行技術文献】
【特許文献】
【０００７】
【特許文献１】特開２００２−２１１５７６号公報
【発明の概要】
【発明が解決しようとする課題】
【０００８】
しかし、従来の紙パック容器用ホルダでは、係止体を水平方向から紙パック容器の折り込み部分に嵌入させるようにしており、２つの折り込み部分の一方にしか係止体を嵌入させることができない。このため、ハンドルは、本体における係止体の下方にしか配置することができず、一方の傾斜面に注ぎ口を備えた紙パック容器に適用すると、注ぎ口とハンドルとが平面視において直交し、注ぎ口からの注液作業が困難になる。
【０００９】
また、同じ理由から、従来の紙パック容器用ホルダは、本体を紙パック容器に水平方向から装着する必要がある。このため、本体は紙パック容器の４つの側面の幅方向の長さに一致する帯状に形成されており、紙パック容器に装着する際には紙パック容器の３つの側面に側方から接触させた後に両端部を接合させる必要があり、紙パック容器から取り外す際には本体の両端部の接合を解除する必要がある。この結果、紙パック容器に対する着脱作業が煩雑になる。
【００１０】
この発明の目的は、注ぎ口を備えた紙パック容器からの注液作業、及び注ぎ口を備えた紙パック容器に対する着脱作業を容易に行うことができる紙パック容器用ホルダを提供することにある。
【課題を解決するための手段】
【００１１】
この発明の紙パック容器用ホルダは、２つの傾斜面の一方に注ぎ口を備えた四角柱形状の紙パック容器に着脱自在に装着される。紙パック容器は、互いに対向する２側面の上端部のそれぞれを互いに近接する方向に傾斜させた２つの傾斜面、残る２側面の上端部を２つの傾斜面の間に折り込んだ２つの三角形状の折込み部、上端部に横長の垂直面で構成された接合部を備えている。紙パック容器用ホルダは、本体、２つの係止体、把手体を備えている。本体は、紙パック容器が高さ方向に貫通する四角孔を有する。２つの係止体は、それぞれ四角孔の上縁部における互いに対向する２辺のそれぞれから斜め上方に延出する三角形平板状を呈し、それぞれの頂点が紙パック容器の折込み部内で接合部に下側から当接する下限位置から上方向にのみ弾性的に揺動自在にされている。把手体は、本体の外側で四角孔における上縁部から係止体が延出していない２辺のうちの一辺の外側に配置されている。
【００１２】
紙パック容器を本体の四角孔に下側から上側に向かって貫通させていく間に、２つの係止体の内側面が紙パック容器の接合部の両端部に当接し、２つの係止体はそれぞれの頂点が外側上方に変位する方向に弾性的に揺動する。この後、接合部の両端部が２つの係止体を通過して２つの係止体に当接力が作用しなくなると、２つの係止体は弾性力によってそれぞれの頂点を内側下方に変位させて下限位置に復帰する。このとき、２つの係止体のそれぞれの頂点が紙パック容器の２つの折込み部のそれぞれの内部で接合部の下端に当接し、紙パック容器に対する紙パック容器用ホルダの装着が完了する。
【００１３】
紙パック容器に装着された紙パック容器用ホルダの把手体を掴んで持ち上げると、２つの係止体には紙パック容器の重量が下方に向かって作用する。２つの係止体は下限位置から下方には変位せず、２つの係止体のそれぞれの頂点は紙パック容器の接合部の下端に当接したままであるため、紙パック容器が紙パック容器用ホルダと伴に持ち上がる。紙パック容器における注ぎ口を備えた傾斜面とは反対側に把手体が位置するように紙パック容器用ホルダを紙パック容器に装着し、把手体の上部が下方に移動するように紙パック容器用ホルダを傾斜させると、紙パック容器に収容された液体が注ぎ口から注液される。
【００１４】
紙パック容器用ホルダが紙パック容器に装着された状態で、２つの係止体の弾性力に抗する下向きの外力を本体に作用させると、２つの係止体は頂点が外側上方に変位する方向に揺動して紙パック容器の２つの側面に接触しつつ、本体が紙パック容器に対して下方に移動する。紙パック容器の底面が本体の四角孔を通過するまで本体を下方に移動させることで、紙パック容器用ホルダが紙パック容器から取り外される。
【発明の効果】
【００１５】
この発明によれば、注ぎ口を備えた紙パック容器に対する紙パック容器用ホルダの着脱作業を容易に行うことができる。
【図面の簡単な説明】
【００１６】
【図１】は、この発明の実施形態に係る紙パック容器用ホルダの外観図である。
【図２】同紙パック容器用ホルダが用いられる紙パック容器の上端部の外観図である。
【図３】同紙パック容器用ホルダの断面図である。
【図４】（Ａ）〜（Ｄ）は、同紙パック容器用ホルダの紙パック容器に対する着脱作業を説明する図である。
【図５】この発明の別の実施形態に係る紙パック容器用ホルダの分解図である。
【図６】この発明のさらに別の実施形態に係る紙パック容器用ホルダの分解図である。
【発明を実施するための形態】
【００１７】
図１に示すように、この発明の実施形態に係る紙パック容器用ホルダ１０は、樹脂を素材として、本体１、２つの係止体２、把手体３を一体的に備えている。本体１は、紙パック容器が高さ方向に貫通する四角孔１１を有し、均一の厚さを有する四角筒体状に形成されている。なお、四角孔１１の各角部は、紙パック容器の形状に合わせて円弧状に形成されている。
【００１８】
２つの係止体２は、それぞれ四角孔１１の上縁部における互いに対向する２辺１１Ａ，１１Ｂのそれぞれから斜め上方に延出する三角形平板状を呈している。２つの係止体２は、２辺１１Ａ，１１Ｂのそれぞれを支軸として、それぞれの頂点２１が紙パック容器の２つの折込み面のそれぞれの頂点に当接する下限位置から上方向にのみ弾性的に揺動自在にされている。
【００１９】
把手体３は、本体１の外側で四角孔１１における上縁部から係止体が延出していない２辺１１Ｃ，１１Ｄのうちの一辺１１Ｃの外側に配置されている。把手体３は、人の手指が貫通する貫通孔３１を有する環状を呈している。
【００２０】
図２に示すように、紙パック容器用ホルダ１０が装着される紙パック容器１００は、一方の傾斜面１１１に注ぎ口１１０を備えた四角柱形状を呈している。紙パック容器１００は、互いに対向する２側面１０１，１０２の上端部のそれぞれを互いに近接する方向に傾斜させた２つの傾斜面１１１，１１２、残る２側面１０３，１０４の上端部を２つの傾斜面１１１，１１２の間に折り込んだ２つの三角形状の折込み面１１３，１１４（図３において折込み面１１４は図示されない。）、上端部に横長の垂直面で構成された接合部１１５を備えている。折込み面１１３，１１４の頂点は、２つの傾斜面１１１，１１２の下方で接合部１１５の下端部に接している。
【００２１】
図３に示すように、２つの係止体２のそれぞれの内側面には、凸条２２が形成されている。凸条２２は、紙パック容器用ホルダ１０を紙パック容器１００に装着した状態で、紙パック容器１００の折込み面１１３，１１４の下辺部に当接することで、紙パック容器用ホルダ１０が自重によって紙パック容器１００の下方に移動することを防止する。なお、２つの係止体２の内側面と紙パック容器１００の折込み面１１３，１１４との当接により、自重による紙パック容器用ホルダ１０の下方への移動を防止できる場合には、凸条２２を省略することができる。
【００２２】
係止体２は、図３中実線で示す下限位置と同図中一転鎖線で示す位置との間に揺動自在にされている。係止体２は、頂点２１が下限位置よりも内側下方に移動する方向には揺動せず、頂点２１が下限位置よりも外側上方に移動する方向にのみ揺動する。
【００２３】
図４（Ａ）及び（Ｂ）に示すように、紙パック容器用ホルダ１０を紙パック容器１００に装着する際には、紙パック容器１００を本体１の四角孔１１に下側から上側に向かって貫通させていく。この間に、２つの係止体２は、内側面が紙パック容器１００の接合部１１５の両端部に当接し、頂点２１が外側上方に移動するように弾性的に揺動する。
【００２４】
この後、図４（Ｃ）に示すように、接合部１１５の両端部が２つの係止体２を通過すると、２つの係止体２は、弾性力によってそれぞれの頂点２１が内側下方に変位するように下限位置に向かって揺動し、下限位置で停止する。２つの係止体２のそれぞれの内側面に形成された凸条２２が折込み面１１３，１１４の下辺部に当接することで、本体１に対する紙パック容器１００の相対的な移動が停止し、紙パック容器１００に対する紙パック容器用ホルダ１０の装着が完了する。このとき、２つの係止体２のそれぞれの頂点２１が２つの折込み面１１３，１１４の上方で接合部１１５の下端部に当接する。
【００２５】
紙パック容器１００に装着された紙パック容器用ホルダ１０の把手体３を掴んで持ち上げると、２つの係止体２には接合部１１５の下端部から紙パック容器１００の重量が下方に向かって作用するが、２つの係止体２は下限位置よりも下方には変位せず、紙パック容器１００が紙パック容器用ホルダ１０と伴に持ち上がる。
【００２６】
紙パック容器１００における注ぎ口１１０を備えた傾斜面１１１とは反対側に把手体３が位置するように紙パック容器用ホルダ１０を紙パック容器１００に装着すれば、把手体３の上部が下方に移動するように紙パック容器用ホルダ１０を傾斜させることで、紙パック容器１００に収容された液体が注ぎ口１１０から注液される。
【００２７】
図４（Ｃ）〜（Ｅ）に示すように、紙パック容器用ホルダ１０が紙パック容器１００に装着された状態で、２つの係止体２の弾性力に抗する下向きの外力を本体１に作用させると、２つの係止体２は上方に揺動して紙パック容器１００の２つの側面１０１，１０２に接触しつつ、本体１が紙パック容器１００に対して下方に移動する。紙パック容器１００の底面が本体１の四角孔１１を通過するまで本体１を下方に移動させることで、紙パック容器用ホルダ１０が紙パック容器１００から取り外される。
【００２８】
以上のように、紙パック容器用ホルダ１０は、紙パック容器１００に対して高さ方向に移動させるだけで紙パック容器１００に対する装着及び取り外しを完了させることができるため、紙パック容器１００に対する着脱作業を極めて容易に行うことができる。
【００２９】
なお、把手体３は本体１に一体的に形成することもできるが、図５に示すように、把手体３を本体１の取付部１３に着脱自在に構成することで、紙パック容器用ホネル１０の収納や運搬を容易に行うことができるようにしてもよい。この場合には、把手体３に形成された係止部３２を本体１の取付部１３に下方から装着するように構成することが好ましい。
【００３０】
また、図６に示すように、係止部３２に突起３２１を形成するとともに、取付部１３に突起３２１が嵌合する孔部１３１を形成し、把手体３が本体１から容易に離脱しないようにしてもよい。
【００３１】
さらに、本体１は、四角孔１１を備えることを条件に、必ずしも全体を略均一の厚さに形成する必要はなく、部分的に厚さを変えることもできる。
【００３２】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００３３】
１−本体
２−係止体
３−把手体
１０−紙パック容器用ホルダ
１１−四角孔
２１−頂点
１００−紙パック容器
１１０−注ぎ口
１１１，１１２−傾斜面
１１３，１１４−折込み面
１１５−接合部
【図１】
2015048138.tif 000003
【図２】
2015048138.tif 000004
【図３】
2015048138.tif 000005
【図４】
2015048138.tif 000006
【図５】
2015048138.tif 000007
【図６】
2015048138.tif 000008